(57)【特許請求の範囲】
【請求項１】
リーダ／ライタ装置から送られる振幅変調信号を受信してデータを復調するデータキャリアにおいて、
上記リーダ／ライタ装置から送られる振幅変調信号を受信中に、消費電力が大きい動作が行われる場合には、復調しているデータの変化を無視するようにするデータ変化無視手段を設けたことを特徴とするデータキャリア。
【請求項２】
上記データ変化無視手段は、消費電力が大きいことが予め登録されている動作が行われるか否かを監視し、上記消費電力が大きい動作が行われる場合に、上記復調しているデータの変化を無視するようにするためのマスク信号を発生して、上記消費電力が大きい動作が行われている期間中においてはデータの変化を無視するようにすることを特徴とする請求項１に記載のデータキャリア。
【請求項３】
上記上記消費電力が大きい動作は、メモリに対するデータの書き込み動作及び読み出し動作であることを特徴とする請求項１または２に記載のデータキャリア。
【発明の詳細な説明】
【０００１】
【発明の属する技術分野】
本発明はデータキャリアに関し、特に、リーダ／ライタ装置から送信される振幅変調された信号を復調してデータを受信するデータキャリアシステムに用いて好適なものである。
【０００２】
【従来の技術】
従来、データキャリアとリーダ／ライタ装置とからなり、上記データキャリアと上記リーダ／ライタ装置との間において非接触でデータを授受するようにしたデータキャリアシステムが種々の分野で実用化されている。上記データキャリアシステムのうちあるものは、上記データキャリアと上記リーダ／ライタ装置との間におけるデータの授受は、送信側においてデータに応じて搬送波を振幅変調し、上記振幅変調信号を受信側で復調することにより行われる。
【０００３】
ところで、データキャリアの場合、電源用の電池を有するデータキャリアと、電源用電池を保持しないで、リーダ／ライタ装置から送られる電波を整流して動作電力を生成する無電池のデータキャリアとに大別される。
【０００４】
上記電源用の電池を有するデータキャリアの場合は数メートル、あるいは十数メートル以上の長距離通信を行うことが可能に構成されている。それに対し、電源用電池を保持しておらず、その動作電力をリーダ／ライタ装置から送られる電波を受信して生成する無電池式のデータキャリアの場合には、一般に、通信距離が平均動作電力の他、瞬時動作電力変動によっても影響を受けやすかった。
【０００５】
このため、無電池式のデータキャリアにおいては、リーダ／ライタ装置から送られる振幅変調信号を受信中に消費電力が大きい動作を行うと、データキャリアの入力端における振幅変調波形にノイズが現れてしまい、上記リーダ／ライタ装置から送られる振幅変調信号を誤復調してしまう問題があった。
【０００６】
図３は、誤復調の一例を示すものである。図３（ａ）はリーダ／ライタ装置から送信されてくる信号波を示し、（ｂ）はデータキャリアの消費電力の変動を示し、（ｃ）はデータキャリアの入力部でみたリーダ／ライタ装置から送られる振幅変調信号を示し、（ｄ）はデータキャリアで復調した信号波形を示している。
【０００７】
図３（ｄ）から明らかなように、リーダ／ライタ装置から送られる振幅変調信号を復調しているときに、（ｂ）に示すようにデータキャリアの消費電力が変動すると、（ｃ）に示すように、データキャリアの入力部でみたリーダ／ライタ装置から送られる振幅変調信号の波形が変形してしまう結果、復調にエラーが発生してしまう問題があった。
【０００８】
このような問題を解決するために、従来は、(イ)ＬＳＩチップの電源〜グランド間に安定化容量を介設する。(ロ)消費電力が変動する動作を分散化して各動作時の変動量を小さくする。(ハ)復調回路の感度を鈍くする、等の対策を施していた。
【０００９】
【発明が解決しようとする課題】
上記(イ)のように、ＬＳＩチップの電源〜グランド間に安定化容量を介設すると、レイアウトサイズが増大してしまうので、データキャリアを小型化するのが困難になってしまう問題があった。
【００１０】
また、(ロ)のように、消費電力が変動する動作を分散化して各動作時の変動量を小さくするようにした場合には、タイミング設計上の制約が多くなってしまう問題があった。
【００１１】
さらに、(ハ)のように、復調回路の感度を鈍くするようにした場合には、そのＬＳＩチップの性能が悪化してしまう問題があった。
本発明上述の問題点にかんがみ、リーダ／ライタ装置から送られる振幅変調信号を受信中に消費電力が大きい動作が行われても、上記振幅変調信号を誤復調しないようにすることを、回路規模を増大させたり、タイミング設計上の制約を多くしたりすることなく達成できるようにすることを目的とする。
【００１２】
【課題を解決するための手段】
本発明のデータキャリアは、リーダ／ライタ装置から送られる振幅変調信号を受信してデータを復調するデータキャリアにおいて、上記リーダ／ライタ装置から送られる振幅変調信号を受信中に、消費電力が大きい動作が行われる場合には、復調しているデータの変化を無視するようにするデータ変化無視手段を設けたことを特徴としている。
また、本発明の他の特徴とするところは、上記データ変化無視手段は、消費電力が大きいことが予め登録されている動作が行われるか否かを監視し、上記消費電力が大きい動作が行われる場合に、上記復調しているデータの変化を無視するようにするためのマスク信号を発生して、上記消費電力が大きい動作が行われている期間中においてはデータの変化を無視するようにすることを特徴としている。
また、本発明のその他の特徴とするところは、上記上記消費電力が大きい動作は、メモリに対するデータの書き込み動作及び読み出し動作であることを特徴としている。
【００１３】
【発明の実施の形態】
次に、添付図面を参照しながら本発明のデータキャリアの実施の形態について説明する。
図１は、本発明に係るデータキャリアの実施の形態を示し、振幅変調（ＡＳＫ）対応のデータキャリア２０の概略構成を示すブロック図である。
【００１４】
図１において、１０はリーダ／ライタ装置であり、本実施の形態においては振幅変調（ＡＳＫ）方式を利用して種々のデータをデータキャリア２０に送信するようにしている。
【００１５】
本実施の形態のデータキャリア２０は、整流回路２１、データキャリアのアンテナ２２、変調回路２３、復調回路２４、電源回路２５、制御回路２６、禁止パターン格納回路２７、メモリ回路２８、マスク信号発生回路２９等を有している。
【００１６】
上記整流回路２１は、上記リーダ／ライタ装置１０のアンテナ１１から送信され、データキャリアのアンテナ２２で受信された振幅変調信号を整流して直流電圧を生成し、電源回路２５に供給する。
【００１７】
変調回路２３は、リーダ／ライタ装置１０に送信するデータに従って搬送波を変調して変調波を生成し、データキャリアのアンテナ２２に送出する。
復調回路２４は、リーダ／ライタ装置１０から送られてきた送信信号をデータに復調して制御回路２６に供給するものである。
【００１８】
電源回路２５は、データキャリア２０で使用する電源を供給するものであり、整流回路２１から送られた直流電圧を所定の電圧に変換する機能を有している。制御回路２６は、リーダ／ライタ装置１０から送られるコマンドに応じて、データキャリアの全体動作を制御するものであり、固定の処理を行う論理回路、ないしはＣＰＵ、ＲＡＭ及びＲＯＭのコンピュータシステムによって構成されている。
【００１９】
禁止パターン格納回路２７は、制御回路２６制御により実行する各種の動作モードのうち、消費電力が大きい動作モードが格納されている。
マスク信号発生回路２９は、後で詳細に説明するように、制御回路２６の制御により復調回路２４が復調しているデータの論理レベルの変化を禁止するためのマスク信号を生成するためのものである。
【００２０】
メモリ回路２８は、種々のデータを格納しておくためのものであり、読み出し書き込み回路３０によってデータの書き込み読み出しが行われる。
【００２１】
次に、上述のように構成された本実施の形態のデータキャリア２０の動作を説明する。
図２は、誤復調の一例を示すものであり、図２（ａ）はリーダ／ライタ装置１０から送信されてくる信号波を示し、（ｂ）はデータキャリアの消費電力の変動を示し、（ｃ）はデータキャリア２０の入力部でみたリーダ／ライタ装置１０から送られる振幅変調信号を示し、（ｄ）はマスク信号発生回路２９で発生したマスク信号を示し、（ｅ）はデータキャリア２０で復調した信号波形を示している。
【００２２】
本実施の形態においては、制御回路２６が禁止パターン格納回路２７に格納されている禁止パターンを監視しており、消費電力の変動が大きい動作モードでデータキャリア２０が動作を行う場合には、制御回路２６がマスク信号発生回路２９に指示を出力する。
【００２３】
上記指示を受けたマスク信号発生回路２９は、図２（ｄ）に示すようなマスク信号を発生して復調回路２４に出力する。復調回路２４は、マスク信号の期間は復調している信号のデータ変化を無視するようにして復調を行う。
【００２４】
これにより、図２（ｃ）で示したように、データキャリア入力部において、リーダ／ライタ装置１０からの信号波形が消費電力の変動のために乱れても、それによる誤復調を防止することができる。
【００２５】
したがって、本実施の形態のデータキャリア２０においては、回路規模を増大させたり、タイミング設計上の制約を多くしたりすることなく、リーダ／ライタ装置１０からの送信信号を受信中に消費電力が大きい動作が行われても誤復調しないようにすることができる。
【００２６】
上記消費電力が大きい動作モードは、例えば、データをメモリ回路２８に書き込んだり、あるいはメモリ回路２８に書き込まれているデータを読み出したりする動作モードを考慮することができる。
【００２７】
なお、上述した実施の形態においては、データキャリア２０で行う動作モードを監視して、予め設定した動作モードで動作するときにマスク信号を発生させるようにした例を示した。しかし、このような実施の形態の他に、例えば、データキャリアの消費電力を監視しておき、上記消費電力が所定の値を超えた場合にマスク信号を発生させるようにしてもよい。
【００２８】
上述のように、消費電力を監視してマスク信号を発生させるようにした場合には、マスク信号の発生は消費電力が増大した後になる。しかし、復調信号を生成するタイミングを調整することにより、良好に動作させることができる。
【００２９】
【発明の効果】
本発明は、上述したように、リーダ／ライタ装置から送られる振幅変調信号を受信してデータを復調するデータキャリアにおいて、上記リーダ／ライタ装置から送られる振幅変調信号を受信中に、消費電力が大きい動作が行われる場合には、復調しているデータの変化を無視するようにするデータ変化無視手段を設けたので、リーダ／ライタ装置から送られる振幅変調信号を受信中に消費電力が大きい動作が行われても、上記振幅変調信号を誤復調しないようにすることができる。
また、消費電力が大きい期間にはデータの変化を無視するようにしただけで誤復調を防止できるので、回路規模を増大させたり、タイミング設計上の制約を多くしたりすることなく誤復調を防止することができる。
【図面の簡単な説明】
【図１】本発明の実施の形態を示し、データキャリアの概略構成を示すブロック図である。
【図２】実施の形態のデータキャリアの動作を説明する波形図である。
【図３】従来のデータキャリアの動作を説明する波形図である。
【符号の説明】
１０  リーダ／ライタ装置
１１  アンテナ
２０  データキャリア
２１  整流回路
２２  データキャリアのアンテナ
２３  変調回路
２４  復調回路
２５  電源回路
２６  制御回路
２７  禁止パターン格納回路
２８  メモリ回路
２９  マスク信号発生回路
３０  読み出し書き込み回路
【図１】
0003907472.tif 000002
【図２】
0003907472.tif 000003
【図３】
0003907472.tif 000004